(57)【要約】【課題】テレビ受像装置において、動作制御に複雑な処理を用いずに、通話機能に適したスピーカー出力を維持しつつ、消費電力を下げる技術を提供する。【解決手段】液晶テレビ１０のテレビ電話制御部４０は、ユーザーの選択によってテレビ電話機能を実現する所定のプログラムを実行する。また、テレビ電話制御部４０は、テレビ電話機能がオンになると、スピーカーセット６０のうち使用するスピーカーを選択し、使用しないスピーカー（例えばウーハー９０）の出力を停止する。【選択図】図１
2013240009.tif 000002
【特許請求の範囲】
【請求項１】
通話機能と、
複数の周波数帯域に分けて出力設定された複数のスピーカーからなるスピーカーセットと、
前記スピーカーセットへの音声出力を行う音声出力部と、
前記通話機能がオンのときに、前記複数のスピーカーのうち、最も低域の周波数帯域の出力を担うスピーカーへの前記音声出力部からの出力を停止する制御部と、
を備えることを特徴とするテレビ受像装置。
【請求項２】
前記制御部は、前記通話機能がオンのときに、モノラル出力とすることを特徴とする請求項１に記載にテレビ受像装置。
【請求項３】
前記制御部は、設定されている使用言語に応じて出力を停止するスピーカーを決定することを特徴とする請求項１または２に記載のテレビ受像装置。
【請求項４】
前記制御部は、通話機能で通話をする相手ユーザーの使用言語及び性別、年齢に応じて出力を停止するスピーカーを決定することを特徴とする請求項１から３までのいずれかに記載のテレビ受像装置。
【発明の詳細な説明】
【技術分野】
【０００１】
本発明は、テレビ受像装置に係り、特に通話機能を備えたテレビ受像装置に関する。
【背景技術】
【０００２】
近年、液晶テレビにおいては表示パネルサイズの大型化が大きく進んでおり、すでに超大型の８０インチサイズが市場に投入されている。さらに大型の９０インチサイズの投入も予定されている。９０インチサイズの液晶テレビでは、画面サイズが縦１．１２メートル、横２メートル程度となり、主に住宅サイズの比較的大きな国でそのような大画面テレビの需要が非常に高まっている。
【０００３】
パネルサイズのレンジが広くなると、液晶テレビに搭載されているスピーカーシステムの開発調整も難しくなってくる。搭載されるスピーカーシステムでは、テレビセットの薄型化に伴いメインスピーカーも薄型化されることから、低域成分を確保するためにウーハーを採用し、その低域成分をウーハーに任せる設計の場合もある。一方でメインスピーカーの性能改善等により、あるモデルでは低域成分を任せていたウーハーが不要となるスピーカーシステムを実現している場合もある。
【０００４】
ところで、あるモデルでは、テレビ電話機能を搭載しているものもある。テレビ電話機能のように通話機能を搭載する場合、通話機能に最適化した音声系システムの構築が好ましい。さらに、上述のように中小サイズから９０インチに亘るようなパネルサイズが異なったり仕様が異なったりする複数機種の開発日程をミニマイズするためには、ハードソフト面の共通化によるシリーズでの開発が重要となり、製造各社は様々な技術を用いている。
【０００５】
通話機能における使用品位確保のための技術については各種提案されている。例えば、電話用映像信号及び電話用音声信号並びに複数の外部映像機器からの一般映像信号及び一般音声信号を切換える切換え手段を持ち、音声回路の伝送特性を調整し、最適化することで一般映像、音声時と電話映像、音声時の使用品位を向上させるテレビ電話がある（例えば、特許文献１参照）。
【先行技術文献】
【特許文献】
【０００６】
【特許文献１】特開平２−１９３４８６号公報
【発明の概要】
【発明が解決しようとする課題】
【０００７】
ところで、特許文献１では、テレビ電話とテレビ電話以外の映像視聴機能を持ち、それぞれに応じて音声の周波数特性を変更している。しかし、テレビ電話の機能のために音声処理を行うと過剰品位になりかねず、必ずしもユーザーの要望にマッチしたものではなかった。また、その処理のために電力が余分に消費することにもなりかねず、近年のように環境負荷低減への意識が強くなっているユーザーにとって正反対の技術にもなりかねず、別の技術が求められていた。
【０００８】
本発明は以上のような状況に鑑みなされたものであって、上記課題を解決する技術を提供することを目的とする。
【課題を解決するための手段】
【０００９】
本発明のテレビ受像装置は、通話機能と、複数の周波数帯域に分けて出力設定された複数のスピーカーからなるスピーカーセットと、前記スピーカーセットへの音声出力を行う音声出力部と、前記通話機能がオンのときに、前記複数のスピーカーのうち、最も低域の周波数帯域の出力を担うスピーカーへの前記音声出力部からの出力を停止する制御部と、を備える。
また、前記制御部は、前記通話機能がオンのときに、モノラル出力としてもよい。
また、前記制御部は、設定されている使用言語に応じて出力を停止するスピーカーを決定してもよい。
また、前記制御部は、通話機能で通話をする相手ユーザーの使用言語及び性別、年齢に応じて出力を停止するスピーカーを決定してもよい。
【発明の効果】
【００１０】
本発明によれば、テレビ受像装置において、動作制御に複雑な処理を用いずに、通話機能に適したスピーカー出力を維持しつつ、消費電力を下げる技術を提供することができる。
【図面の簡単な説明】
【００１１】
【図１】第１の実施形態に係る、液晶テレビの概略構成を示す機能ブロック図である。
【図２】第１の実施形態に係る、液晶テレビのスピーカーの周波数特性を示すグラフである。
【図３】第１の実施形態に係る、テレビ電話機能がオンのときのスピーカー出力制御の処理を示すフローチャートである。
【図４】第２の実施形態に係る、テレビ電話機能がオンのときのスピーカー出力制御の処理を示すフローチャートである。
【発明を実施するための形態】
【００１２】
次に、本発明を実施するための形態（以下、単に「実施形態」という）を、図面を参照して具体的に説明する。
【００１３】
まず概要について説明する。音声通話を主な目的とするテレビ電話機能では、音声通話においては人の話し声が主体であることから、３００Ｈｚ未満の低音の増強処理や、低い帯域の音を付加するウーハー機能は、音声帯域の観点からは必要性が低い。さらに、低域成分は指向性が広いという特性があるが、テレビの前で行う音声通話には逆に指向性がある方が好ましい。
【００１４】
また、テレビ電話がモノラルでの使用がメインであると想定すると、ステレオのための２スピーカーは不要である。このようなことから、液晶テレビ等において何ら対策を施さないと、テレビ電話機能を実行中には、必要性の低いスピーカー駆動による電力消費が無駄なる。また、製品開発過程において、ウーハー無しのスピーカーシステムでテレビ電話機能の開発調整をした場合、ウーハー付きのスピーカーシステムでは新たな開発調整が必要となる。一方で、低域を除いた場合であってもテレビ電話（音声通話）における使用性・通話品位は実質低下しない。そこで、テレビ電話機能実行中にウーハー等の必要性の低いスピーカーを停止する構成とする。このように対応することで、消費電力の削減、開発工程の短縮、開発リソースの効率化が実現できる。
【００１５】
具体的には、以下の実施形態では、主に次の（１）〜（３）ようにテレビ電話時に、特性、仕様上、必要性の低いスピーカー回路を停止し、電力削減とする。
（１）低音用スピーカーを停止する。
（２）高音用スピーカーを停止する。
（３）モノラル時に左右いずれかのスピーカーを停止する。
【００１６】
＜第１の実施形態＞
図１は本実施形態に係る液晶テレビ１０の概略構成を示す機能ブロック図であり、ここでは主にテレビ電話機能がオンのときに使用するスピーカーに着目して示している。図示のように、液晶テレビ１０は、主制御部１２と、デジタルチューナー２２と、コンテンツ処理部２４と、表示出力部２６と、表示パネル２８と、音声出力部５０と、スピーカーセット６０と、電源部３２とを備える。さらに、この液晶テレビ１０は、外部通信部３０とテレビ電話制御部４０とを備え、外部の相手側テレビ電話９８とインターネット９９を通じてテレビ電話による通話を行うことができる。
【００１７】
主制御部１２は、液晶テレビ１０の各構成要素を統括的に制御する。また、主制御部１２は、液晶テレビ１０の各種設定を記録し保持する所定の記憶部（図示せず）を備える。また、詳細は後述するが、主制御部１２は、テレビ電話制御部４０と協働により、テレビ電話機能がオンの場合に、スピーカーセット６０のうち所定のスピーカーを停止する。
【００１８】
電源部３２は、外部のＡＣ電源から交流電力を取得し直流電力に変換して、各構成要素へ電力を供給する。
【００１９】
デジタルチューナー２２は、アンテナに接続されデジタル放送波を受信及び復調し、コンテンツ処理部２４に出力する。
【００２０】
コンテンツ処理部２４は、デジタルチューナー２２や外部機器（図示せず）から所望のソースを選択してコンテンツ信号（映像信号や音声信号）取得し、表示出力部２６における駆動形式に応じた信号を表示出力部２６に出力するとともに、音声信号については音声出力部５０に出力する。また、コンテンツ処理部２４は主制御部１２と協働で必要に応じて、例えば液晶テレビ１０の設定画面や、データ放送の内容を反映させたり選択しているチャンネルの番号や時刻を付与したＯＳＤ（On Screen Display）画面など最終的に表示すべき映像を構築する。
【００２１】
表示出力部２６は、ＬＣＤパネル２８の駆動回路等を備えており、映像信号を表示出力する。
【００２２】
外部通信部３０は、例えば、有線又は無線ＬＡＮのインタフェイスであって、インターネット９９を介して相手側テレビ電話９８と通話可能に接続される。
【００２３】
音声出力部５０は、アンプを搭載しており、スピーカーセット６０へ音声信号を出力する。
【００２４】
スピーカーセット６０は、高音域用スピーカー７０と、中音域用スピーカー８０と、ウーハー９０とを備える。なお、音声出力部５０のアンプ定格出力は、例えば高音域用スピーカー７０用に１０Ｗ、中音域用スピーカー８０用に１０Ｗ、ウーハー９０に１５Ｗで、総定格出力３５Ｗである。
【００２５】
高音域用スピーカー７０は、高音域用スピーカー（Ｌ）７２と高音域用スピーカー（Ｒ）７４とを備え、最も高い周波数帯域、例えば、１ｋＨｚ〜２０ｋＨｚの音声を出力する。
【００２６】
中音域用スピーカー８０は、メインの周波数帯域、例えば２００Ｈｚ〜２ｋＨｚの音声を出力する。
【００２７】
低音域用スピーカーであるウーハー９０は、最も低い周波数帯域、例えば３００Ｈｚ以下の音声を出力する。
【００２８】
テレビ電話制御部４０は、ユーザーの選択によってテレビ電話機能を実現する所定のプログラムを実行する。また、テレビ電話制御部４０は、テレビ電話機能がオンになると、スピーカーセット６０のうち使用するスピーカーを選択し、使用しないスピーカーの出力を停止する。
【００２９】
以上の構成による、テレビ電話機能がオンの場合におけるスピーカーセット６０のうち所定のスピーカーを停止する処理について説明する。
【００３０】
図２は、液晶テレビ１０に搭載されるスピーカーセット６０の周波数特性の例を示すグラフである。ここでは、高音域用スピーカー７０が無く、その分中音域用スピーカー８０が高音域まで出力可能なワイドレンジ特性を有する条件で示している。図示のように、ウーハー９０が２００Ｈｚを中心とした低音域の音声を増強することで、スピーカーセット６０全体で所望の周波数特性が得られるように調整されている。
【００３１】
しかしながら、音声通話に必要な周波数帯域は、３００Ｈｚ〜８ｋＨｚと想定すると、上述のように３００Ｈｚ未満の低音の増強処理や、低い帯域の音を付加するウーハー９０の機能は、音声帯域の観点からは必要性が低い。さらに、低域成分は指向性が広いという特性があるが、液晶テレビ１０の前で行う音声通話には逆に指向性がある方が好ましい。
【００３２】
そこで、テレビ電話機能がオンの場合には、低音用スピーカーであるウーハー９０を停止する。さらに、テレビ電話ではステレオ出力の必要性が低いことからモノラル出力とする。なお当然に、ユーザー設定により、ステレオ出力を維持してもよいし、また、スピーカーセット６０を構成する全てのスピーカーをオンとしてもよい。
【００３３】
図３は、テレビ電話機能がオンのときのスピーカー出力制御の処理を示すフローチャートである。
【００３４】
主制御部１２は、テレビ電話機能がオンになるか否かを常時監視する（Ｓ１０）。テレビ電話機能がオフの場合（Ｓ１０のＮ）、設定中のスピーカー出力を維持する（Ｓ１２）。つまり、一般にはスピーカーセット６０を構成する全てのスピーカー（スピーカーセット６０、高音域用スピーカー７０、ウーハー９０）から音声出力がなされる。なお、ユーザーが使用するスピーカーについてオンオフの設定を行っていれば、それに従う。
【００３５】
テレビ電話機能がオンの場合（Ｓ１０のＹ）、主制御部１２からその旨が通知されたテレビ電話制御部４０は、音声出力部５０を制御してウーハー９０の出力を停止する（Ｓ１４）。このとき、ウーハー９０の出力が停止することで、ウーハー９０用のアンプ出力が停止する。したがって、その分の消費電力（最大でウーハー定格の１５Ｗ）を低減することができる。
【００３６】
さらに、テレビ電話制御部４０は、音声出力部５０を制御して高音域用スピーカー７０及び中音域用スピーカー８０の出力をモノラル出力に変更する（Ｓ１６）。このとき、左側の出力のみの場合、高音域用スピーカー（Ｌ）７２と中音域用スピーカー（Ｌ）８２から音声出力される。右側の出力のみの場合、高音域用スピーカー（Ｒ）７４と中音域用スピーカー（Ｒ）８４から音声出力される。片側からの出力のため、最大で高音域用スピーカー７０及び中音域用スピーカー８０の総定格出力の半分である１０Wの消費電力削減が可能となる。
【００３７】
以上、本実施形態によると、スピーカーセット６０のうちテレビ電話時に不要となるウーハー９０を停止している。したがって、動作制御に複雑な処理が不要である。これらの結果、ユーザーのテレビ電話の通話品位を実質的に低下させずに消費電力を下げることができる。さらに、例えばバッテリーにより動作するテレビの場合、電力削減による使用時間の拡大が期待できる。また、ウーハー９０無しのスピーカーシステムとシステムを共通化でき、開発日程のミニマイズが可能であり、さらに中小サイズから９０インチクラスの超大型サイズまでを、同じ音響設計で進めることが容易になる。
【００３８】
なお、液晶テレビ１０がバッテリー駆動も可能な構成の場合、バッテリー駆動時のみテレビ電話機能オンにともなって所望のスピーカー（ウーハー９０）を停止させてもよい。
【００３９】
＜第２の実施形態＞
第１の実施形態ではウーハー９０をオフし、中音域用スピーカー（Ｌ）８２及び中音域用スピーカー（Ｒ）８４をモノラル出力したが、本実施形態では、液晶テレビ１０に設定されている使用言語を参照し、停止するスピーカーを決定する。
【００４０】
一般に、人の声の周波数帯域は、使用される言語によって異なることが知られている。例えば、日本語の場合は、概ね１００Ｈｚ〜１５００Ｈｚであり、一方で、英語の場合、２０００Ｈｚ以上の帯域でも、言葉として使用される。したがって、言語によっては高音域用スピーカー７０の出力が不要の場合もある。そこで、本実施形態では、液晶テレビ１０に設定されている使用言語に応じて、テレビ電話機能がオンのときに使用するスピーカーを決定する。なお、使用言語とオンするスピーカーの関係を記したテーブルがテレビ電話制御部４０に記録されているものとする。
【００４１】
図４は、テレビ電話機能がオンのときのスピーカー出力制御の処理を示すフローチャートである。なお、液晶テレビ１０の構成は同一のもので実現できるので説明は省略する。
【００４２】
主制御部１２は、テレビ電話機能がオンになるか否かを常時監視する（Ｓ１０）。テレビ電話機能がオフの場合（Ｓ１０のＮ）、第１の実施形態同様に、設定中のスピーカー出力を維持する（Ｓ１２）。
【００４３】
テレビ電話機能がオンの場合（Ｓ１０のＹ）、主制御部１２からその旨が通知されたテレビ電話制御部４０は、液晶テレビ１０に設定されている使用言語を確認する（Ｓ１４ａ）。使用言語の設定は、液晶テレビ１０の各種設定項目の一つであり、例えば、主制御部１２が備える記憶領域に記録されている。
【００４４】
つづいて、テレビ電話制御部４０は、上述の所定のテーブルを参照して、確認した使用言語に対応した停止スピーカーを決定する（Ｓ１６ａ）。例えば、使用言語が日本語であれば、中音域用スピーカー（Ｌ）８２のみのモノラル出力が選択される。また、使用言語が英語の場合、高音域も重要な周波数帯域とされることから、高音域用スピーカー（Ｌ）７２と中音域用スピーカー（Ｌ）８２を用いたモノラル出力が選択される。
【００４５】
そしてテレビ電話制御部４０は、音声出力部５０を制御して停止決定をしたスピーカーに対応したアンプを停止し（Ｓ１８ａ）、使用言語が日本語の場合は、中音域用スピーカー（Ｌ）８２を用いた音声出力を行う。つまり、高音域用スピーカー７０、中音域用スピーカー（Ｒ）８４及びウーハー９０の出力が停止する。
【００４６】
以上、本実施形態によると、第１の実施形態と同様の効果が得られるとともに、テレビ電話機能がオンの場合に、使用言語に応じてより効果的な消費電力削減が簡単の構成で実現できる。
【００４７】
以上、本発明を第１及び第２の実施形態をもとに説明した。この実施形態は例示であり、それらの各構成要素の組み合わせ等にいろいろな変形例が可能なこと、またそうした変形例も本発明の範囲にあることは当業者に理解されるところである。
【００４８】
例えば、年齢や性別によって声の周波数帯域が異なってくることが想定されるので、相手側の性別や年齢が把握できる場合には、把握した情報に基づき、テレビ電話機能オンにともなって停止するスピーカー、つまり使用されるスピーカーが決定されてもよい。
【００４９】
また、テレビ電話機能がオンのときに、ウーハ−９０のみが停止されてもよいし、モノラル出力の場合に左右両方にモノラル音声の出力がなされてもよい。
【符号の説明】
【００５０】
１０  液晶テレビ
１２  主制御部
２２  デジタルチューナー
２４  コンテンツ処理部
２６  表示出力部
２８  表示パネル
３０  外部通信部
３２  電源部
４０  テレビ電話制御部
５０  音声出力部
６０  スピーカーセット
７０  高音域用スピーカー
７２  高音域用スピーカー（Ｌ）
７４  高音域用スピーカー（Ｒ）
８０  中音域用スピーカー
８２  中音域用スピーカー（Ｌ）
８４  中音域用スピーカー（Ｒ）
９０  ウーハー
【図１】
2013240009.tif 000003
【図２】
2013240009.tif 000004
【図３】
2013240009.tif 000005
【図４】
2013240009.tif 000006